(57)【特許請求の範囲】
【請求項１】
長手方向に伸張されたプレフイルムが、チェーン通路デフレクタヘッドの周りに案内される２つのクリップチェーンを有する横方向伸張フレームに挿入され、フイルム端部がクリップチェーンのクリップにより掴まれるとともに、横方向伸張フレームの入口部に於ける各フイルムの端部位置にフイルム端部を感知するセンサヘッドが設けられ、横方向伸張フレームへの入口に於いてチェーン通路デフレクタヘッドがフイルムウエブの動きに応じて駆動されるようにした、フイルムリールの巻固さ均一化方法において、センサヘッドがフイルムウエブの長手方向に対して横方向に且つチェーン通路デフレクタヘッドに対して移動され、そのセンサヘッドの周期的な移動によって、クリップチェーンとともにクリップの位置が調整されクリップの掴み深さが変わるように制御されることを特徴とする、フイルムリールの巻固さ均一化方法。
【請求項２】
フイルムウエブの端部区域のクリップの掴み深さが両側において時間の関数として制御されることを特徴とする、請求項１記載のフイルムリールの巻固さ均一方法。
【請求項３】
チェーン通路デフレクタヘッド６の周りに案内される２つのクリップチェーン１４を有する横方向伸張フレーム１６と、フイルム端部９を掴むクリップ１３を有し、横方向伸張フレーム１６の入口部における各フイルムの端部位置にフイルム端部９を感知するセンサヘッド４を有する制御装置が設けられ、その制御装置によって横方向伸張フレーム１６の入口でチェーン通路デフレクタヘッド６がフイルムウエブの動きに応じて駆動されるようにした、フイルムリールの巻固さ均一化装置において、各センサヘッド４は移動装置５，１２によってフイルムウエブ１の長手方向に対して横方向に且つチェーン通路デフレクタヘッドに対して周期的に移動され、センサヘッド４の移動は制御装置７によって制御され、クリップチェーン１４とともにクリップ１３の位置がクリップ１３の掴み深さが変るように調整されることを特徴とする、フイルムリールの巻固さ均一化装置。
【請求項４】
センサヘッド４、４は調節可能な設定ネジ５，５を有し、その設定ネジ５，５の調節によりセンサヘッド４、４がフイルムウエブ１に対して横方向に移動されることができ、設定ネジ５，５の調節は制御装置７により行われることを特徴とする、請求項３記載のフイルムリールの巻固さ均一化装置。
【発明の詳細な説明】
【０００１】
【産業上の利用分野】
本発明は、フイルムウエブのフレーム送込み制御装置がフィルム端部に従って駆動されるフィルムリールのロール外形の巻固さを均一にする方法に関し、またその装置にも関する。
【０００２】
【従来の技術】
スリットダイのダイ間隙を調節する閉ループ制御技術が高度に進歩したにもかかわらず、押出されたフィルムはいわゆるパーマネンスを有する。これらのパーマネンスはフィルムの幅外形に亘って分布する薄い点と厚い点が、長い期間つねにフィルムの幅の同じ点に集まるために起こる。これらのパーマネンスはダイ間隙を調節する上方ダイリップの調節ねじの数が決まっているためである。これらのパーマネンスは全体的にほぼ２５mmである前記調節ねじの間隔に起因するものである。まずプレフィルムにおいて遭遇するパーマネンスは、プレフィルムを縦方向および横方向に伸長して最終フィルムを形成する間にも保持される。最終フィルムを巻取ってフィルムリールを形成する間、フィルムリールのこれらの薄い点および厚い点は重なってフィルムリールのリール幅を横切り２方向に巻固さの変化を生ずる。フィルムリールまたはフィルムロールの保管時間が比較的長い場合には、これらの変化する巻固さ自体フィルムに修正できない緊張を生じ、フィルムは使用不能になる。
【０００３】
これらのパーマネンスを回避するため、巻取り中フィルムリールの巻取りコアを横に動かすこと、すなわち、フィルムの幅の横方向に前後に動かすことが公知である。この巻取りコアの横移動の機械および制御はきわめて複雑である。
【０００４】
これらのパーマネンスを回避する他の方法は縦方向に伸長されたプレフィルムを振動式に横方向伸長フレームに導入し、薄い点および厚い点をフィルム移動方向に対して横方向に振動させ、それらが特定の点に集まることなくフィルムリールの幅を横切ってパーマネンスを均一に分布させることである。縦方向に伸長されたプレフィルムの横方向伸長フレームへの振動式導入は種々の方法によって達成することができる。その一つはロールのターゲット運動、たとえは、横方向伸長フレームの上流において、水平から変位させるのと同時にフレーム送込み制御を停止することである。他の方法はプレフィルムの選択的トリミングを実施することであり、広い端部条片は走行長さに従ってフィルムウエブの両側で交互に切断され、トリミングされたプレフィルムの幅を一定に保持することである。横方向トリミングによるフィルム端部の変位はフレーム送込み制御に続いて実施されれ、その結果プレフィルムの薄い点および厚い点の横方向振動による変位が達成される。
【０００５】
【発明が解決しようとする課題】
本発明の目的は縦方向に伸長されたプレフィルムに横方向伸長を実施して最終フィルムを形成し、その巻取りはフィルムリール上の最終フィルムの、スリットダイのダイ間隙の幅の閉ループ制御によって生じた薄い点および厚い点が重ならないように、フィルムリールを形成することである。
【０００６】
【課題を解決するための手段】
この目的は、クリップが、縦方向に伸長されたプレフィルムの横方向伸長用クリップチェーンとともに、横方向伸長の間にフィルム端部を掴むためそれらの位置を調節されるような方法によって達成される。この方法により、フィルムウエブの端部区域に対するクリップの掴み深さは両側において時間の関数として制御される。
【０００７】
変型した方法として、二つのフィルム端部がいずれの場合にもセンサヘッドによって感知され、二つのセンサヘッドホルダにはモータ調節設定ねじが設けられ、その調節は電子的に制御され、センサヘッドはチェーン通路デフレクタヘッドに対して動かされる。センサヘッドはそれらのモータ式調節の間振動式に動かされるのが好ましい。
【０００８】
方法の別の変型は請求項５ないし７に記載されている。
【０００９】
上記目的は、横方向伸長フレームおよびフイルムウエブのフレーム送込み制御装置を備え、横方向伸長フレームの入口上流に縦方向に伸長されたプレフィルムのフィルム端部を感知するセンサヘッドを備えたフィルムリールのロール外形巻固さ均一化装置において、各センサヘッドがチェーン通路デフレクタヘッドに対してフイルムウエブの横方向に調節可能な設定ねじを有し、閉ループ制御装置が設定ねじを調節するため設けられるフィルムリールのロール外形の巻固さを均一にする改良された装置を含んでいる。装置の別の改良として、各センサヘッドはセンサヘッドの信号によって作動され、プレフィルムのフイルム端部の変位によって始動されるサーボ弁に連結されている。別の変型は請求項１０ないし１２に記載されている。
【００１０】
本発明は、チェーン通路デフレクタヘッドに対してフレーム送込み制御装置のセンサヘッドのターゲット式相対的調節が、クリップチェーンにおけるチェーンによるフィルムの掴み深さの制御をもたらす利点を有する。この相対的調節が同じ方向の両センサヘッドに従って、フィルムの移動方向の横方向に限定された時間に実施され、すなわち一緒に右または左に調節されるため、この第１のものはチェーン通路デフレクタヘッドの振動およびクリップチェーンの通路の変更およびクリップチェーン通路の第１の固定スピンドル下流において、フィルムの振動を生ずる。
【００１１】
【実施例】
以下、図面を参照して本発明の実施例を説明する。
【００１２】
図１はフィルムリールの幅の横方向に分布した薄い点および厚い点を線図的に示す。これらの薄い点および厚い点は決してフィルムリールの幅の横方向に均一に分布することはなく、それらの位置はむしろスリットダイのダイリップの調節ねじがどのように調節されたかに、すなわち、それらがダイリップに張力を加えるかまたは圧縮力を加えるかにかかわる。厚い点はスリットダイのダイリップの調節ねじが張力を加えるように設定される点においてプレフィルムに形成され、一方、薄い点は調節ねじがダイリップに圧力を加える位置に対応する。プレフィルムの横方向伸長は、端部効果によってフィルムの幅および長さ方向に均一な外形をもった最終フィルムを得るように中心から起こるため、公知のように、スリットダイの調節ねじは、押出されたプレフィルムが端部より中央において厚くなるように調節される。
【００１３】
図２はフィルムウエブ１のフィルム端部９を制御するセンサヘッド４を示す。制御装置は横方向伸長フレーム１６（図３参照）の入口に設置され、端部効果によってフィルムウエブ１を下記にさらに詳細に記載するように振動させるようにチェーン通路デフレクタヘッド６を調節するのに役立つ。
【００１４】
センサヘッド４はその中心をフィルムウエブ１が移動する間隙３を有する。フィルムウエブ１を間隙３の中心に保持するため、支持棒または支持ロールがセンサヘッドの上流に適宜設置される。またフィルムウエブ１のそのような案内は、フィルム端部が波状の場合にセンサヘッド内のフィルムウエブが摩擦しかつしわになるのを回避するのに適している。またフィルムウエブが空気吹出し側と反対側に設置されたセンサヘッドのフォークを僅かにこすることができるようにし、すなわち、センサヘッド４はフィルムウエブ１を支持してフィルムウエブ１がしわになるのを回避する。
【００１５】
間隙３内のフィルムウエブ１は吹出し空気１５の作用をうけ、吹出し空気１５はフィルム端部を確実に感知させる。フィルムウエブ１がその設定位置から左または右に変位すると、吹出し空気１５はセンサヘッド４のセンサに設定点の位置からの変位に対して完全に比例して入射し、またはまったく入射せず、センサヘッド４がうけ入れた吹出し空気１５に比例して、二つの連結管２の一方および接続された管を通して空気信号をサーボ弁８に伝達し、サーボ弁８が変位に比例する信号を液圧管を通してチェーン通路デフレクタヘッド６を調節する調節シリンダ１０に伝達する。設定ねじ５はセンサヘッドホルダ１１を貫通し、水平に調節できるようにセンサヘッド４に係合する。さらに、センサヘッド４は、高さを変化できるように配置されたフィルムウエブが間隙３を通過しうるように、垂直にも調節することができる。
【００１６】
図３を参照して、押出し後縦方向に伸長されたプレフィルムであるフィルムウエブ１を横切る横方向伸長フレーム１６の送込み制御装置について、以下詳細に説明する。送込み制御装置は二つのセンサ４，４、ステッピングモータ１２、１２、閉ループ制御装置７，７およびサーボ弁８，８を通してセンサヘッド４，４に連結された調節シリンダ１０，１０を有する。フィルム端部９，９は二つのセンサヘッド４，４によって感知される。各センサヘッド４は、センサヘッド４の設定ねじ５を駆動するステッピングモータ１２によってフィルムウエブ１の長手方向に対して横方向に調節される。ステッピングモータ１２，１２は同期回転し、（図示しない）共通の閉ループ制御装置によりまたは閉ループ制御装置７によって、いずれの場合にもそれらがセンサヘッド４を時間の関数として左または右に特殊な距離変位させるように制御される。作用において、センサヘッド４，４は毎分１ないし２mmの速度に調節される。センサヘッド４，４の調節の全長はほぼ１５mmに達する。センサヘッド４，４はサーボ弁８，８に連結され、サーボ弁８，８自体センサヘッド４，４の信号によって作動される。図２の説明において上に記載したように、センサヘッド４，４の信号はフィルムウエブ１のフィルム端部９，９の変位によって始動される。サーボ弁８はそれぞれ位置決めシリンダ１０に連結され、位置決めシリンダ１０は付属するサーボ弁の信号によって作動される。位置決めシリンダ１０，１０はチェーン通路デフレクタヘッド６，６に連結され、デフレクタヘッド６，６はフィルム端部９，９の変位を修正する。送込み制御装置はフィルムウエブ１の運動に従って横方向伸長フレーム１６の入口においてチェーン通路デフレクタヘッド６，６を駆動するのに役立つ。
【００１７】
図４から分かるように、クリップチェーン１４，１４に取付けられたクリップ１３の掴み深さはチェーン通路デフレクタヘッド６，６に対して調節がなされるとき変化し、その結果、チェーン通路デフレクタヘッドの周りを案内されるクリップチェーン１４，１４の通路も変化する。掴み深さａまたはｂはそれぞれクリップ１３によって固く保持されたフィルムウエブの条片の幅を意味するものと解される。これらの各条片はフィルム端部９および閉鎖したクリップの前端によって制限される。設定ねじ５，５を作動するとチェーン通路デフレクタヘッド６，６とセンサヘッド４，４との間に相対運動が生ずる。チェーン通路デフレクタヘッド６，６を調節するとクリップチェーン１４，１４の通路したがって閉鎖したクリップ１３の掴み深さの変化を生ずる。
【００１８】
設定ねじ５，５を調節するステッピングモータ１２，１２ならびにセンサヘッド４，４の測定した実際値を保有する電子的閉ループ制御装置７によって、センサヘッド４，４は振動的に移動し、それによってそれらは一緒にフィルムウエブ１の長手方向に対して横方向に左または右に変位する。右および左へのセンサヘッド４，４の調節はそれぞれ、まず、チェーン通路デフレクタヘッド６，６の変位または振動を、ついで、クリップ通路の第１固定スピンドル下流で、フィルムウエブ１の振動を生ずる。
【００１９】
ステッピングモータを備えた設定ねじの代わりに、スライドレール上で移動するセンサヘッドを設けることもでき、その調節または振動は液圧または空気シリンダによって実施される。
【００２０】
横方向伸長フレーム１６に送込んだ後毎分約１ないし２mmのフィルムウエブ１の振動によって、最終フィルムの巻取中、個々のフィルム層の薄い点および厚い点は互いに重なることがなく、むしろいずれの場合にもフィルムリールの横方向に対して相対的に変位する。
【００２１】
【発明の効果】
本発明によれば、クリップが、長手方向に伸長されたプレフィルムの横方向に伸長するクリップチェーンとともに、横方向伸長の間にフィルム端部を掴むそれらの位置を調節されることにより、スリットダイのダイ間隙の幅の閉ループ制御によって生じた薄い点および厚い点が重ならないように、フィルムリールを形成することができる。
【図面の簡単な説明】
【図１】薄い点および厚い点（パーマネンス）を有するフィルムリールのロール外形を線図的に示す図。
【図２】横方向に調節する設定装置を備えたセンサヘッドの側面図。
【図３】縦方向に伸長されたプレフィルムを横切る横方向伸長フレームの送込み制御装置の線図的平面図。
【図４】クリップチェーンおよび二つの異なった掴み深さに取付けられたクリップの断面図。
【符号の説明】
１  フィルムウエブ
３  間隙
４  センサヘッド
５  設定ねじ
６  チェーン通路デフレクタヘッド
７  閉ループ制御装置
８  サーボ弁
９  フィルム端部
１０  位置決めシリンダ
１１  センサヘッドホルダ
１２  クリップチェーン
１３  クリップ
１４  クリップチェーン
１６  横方向伸長フレーム
【図１】
0003544700.tif 000002
【図２】
0003544700.tif 000003
【図３】
0003544700.tif 000004
【図４】
0003544700.tif 000005